(57)【特許請求の範囲】
【請求項１】
洗濯槽と、該洗濯槽の内部で回転する回転ドラムと、前記洗濯槽及び回転ドラムの内部に洗濯水を給水する給水路と、前記洗濯槽及び回転ドラム内に乾燥風を循環させる乾燥風路とを備え、前記回転ドラムの内部の洗濯物を、前記洗濯水に浸して洗濯し、前記乾燥風と接触させて乾燥せしめる洗濯乾燥機において、
前記給水路の中途を前記乾燥風路に連通し、前記洗濯水を前記乾燥風路の内部に給水する副給水路を設け、前記洗濯水の給水開始時に、前記乾燥風路に設けた送風ファン及びヒータを動作させ、前記送風ファンの回転速度が所定値に達した後に前記副給水路による給水を行わせる給水制御手段を備えることを特徴とする洗濯乾燥機。
【請求項２】
前記給水制御手段は、前記副給水路による給水時に、前記回転ドラムを回転駆動することを特徴とする請求項１に記載の洗濯乾燥機。
【発明の詳細な説明】
【技術分野】
【０００１】
本発明は、洗濯槽の内部で回転する回転ドラム内に乾燥風を循環させる乾燥風路を備える洗濯乾燥機に関する。
【背景技術】
【０００２】
近年広く普及しているドラム式の洗濯乾燥機は、有底円筒形の洗濯槽を、横姿勢又は斜め横姿勢で外筐内に支持し、この洗濯槽の内部に、同軸上にて回転する有底円筒形の回転ドラムを収容して構成されている（例えば、特許文献１参照）。
【０００３】
洗濯槽及び回転ドラムは、同側に開口する開口部を有しており、洗濯物は、これらの開口部を経て回転ドラムの内部に投入され、洗濯槽及び回転ドラムの底部に溜まる洗濯水中に浸され、回転ドラムの反復回転による持ち上げ及び落下を繰り返し、落下時に回転ドラムの周面に叩きつけられて洗濯される。
【０００４】
洗濯を終えた洗濯物は、回転ドラムの高速回転により残留水分の多くを遠心脱水された後、回転ドラム内に導入される乾燥風と接触することにより乾燥せしめられる。乾燥風は、洗濯槽内に開口する導入口及び導出口を送風ダクトにより連絡し、洗濯槽及び回転ドラムを中途に含めて構成された乾燥風路内を循環する。
【０００５】
乾燥風路には、乾燥風を起風する送風ファンが設けてあり、該送風ファンの上流側に冷却部が、同じく下流側にヒータが夫々配設してある。乾燥風は、回転ドラム内の洗濯物と接触し、該洗濯物の水分を奪った後、冷却部において冷却され、含有水分を凝縮除去された乾き空気となり、ヒータを通過する際に加熱されて回転ドラム内に戻る。回転ドラム内の洗濯物は、このように循環する乾燥風との接触を繰り返して乾燥せしめられる。
【先行技術文献】
【特許文献】
【０００６】
【特許文献１】特開２００４−３２１３１６号公報
【発明の概要】
【発明が解決しようとする課題】
【０００７】
以上の如く構成された洗濯乾燥機において、洗濯に使用する洗濯水は、一般的に、給水源（水道）に接続された給水路を経て洗濯槽の内部に送り込まれている。この場合、回転ドラム内の洗濯物は、送り込まれる洗濯水の水位が洗濯槽内で上昇し、回転ドラム内に洗濯水が浸入した段階で濡れ始め、洗濯水の給水開始後、該洗濯水が洗濯物に浸透するまでに時間を要する。洗濯物の洗濯効果は、該洗濯物に洗濯水が浸透した段階で得られることから、給水開始から洗濯物の濡れ始めまでの所要時間は、洗濯工程全体の所要時間（洗濯時間）を長くするという問題がある。
【０００８】
特許文献１に記載の発明においては、洗濯水の給水口が、回転ドラムの前面に開設された洗濯物の投入口に上方から対向するように設けてある。この構成によれば、給水口から流れ出る洗濯水の一部が回転ドラム内の洗濯物に降り注ぎ、該洗濯物の濡れを促進することができるが、この促進効果は限定的であり洗濯時間の短縮効果は小さい。
【０００９】
本発明は斯かる事情に鑑みてなされたものであり、回転ドラム内の洗濯物を、洗濯水の給水開始直後から効果的に濡らすことができ、同時に洗濯物を温めて、洗濯時間の短縮が可能となる洗濯乾燥機を提供することを目的とする。
【課題を解決するための手段】
【００１０】
本発明に係る洗濯乾燥機は、洗濯槽と、該洗濯槽の内部で回転する回転ドラムと、前記洗濯槽及び回転ドラムの内部に洗濯水を給水する給水路と、前記洗濯槽及び回転ドラム内に乾燥風を循環させる乾燥風路とを備え、前記回転ドラムの内部の洗濯物を、前記洗濯水に浸して洗濯し、前記乾燥風と接触させて乾燥せしめる洗濯乾燥機において、前記給水路の中途を前記乾燥風路に連通し、前記洗濯水を前記乾燥風路の内部に給水する副給水路を設け、前記洗濯水の給水開始時に、前記乾燥風路に設けた送風ファン及びヒータを動作させ、前記送風ファンの回転速度が所定値に達した後に前記副給水路による給水を行わせる給水制御手段を備えることを特徴とする。
【００１１】
本発明においては、給水開始時に乾燥風路に設けた送風ファン及びヒータを駆動し、送風ファンの起風をヒータにより加熱してなる温風を乾燥風路内に流しておき、この状態で副給水路から乾燥風路内に洗濯水を給水し、乾燥風路内に流れる温風により搬送して回転ドラム内に送り込む。
【００１５】
副給水路による給水は、送風ファンの回転速度が所定の回転速度に達し、乾燥風路内に十分な温風の流れが生じた時点で開始するから、乾燥風路内に送り込まれる洗濯水を無駄なく利用し、回転ドラム内の洗濯物を、給水開始直後から速やかに且つ良好に濡らし、また温風との接触により温めて、洗濯時間の短縮を実現することが可能となる。
【００２０】
更に本発明に係る洗濯乾燥機は、前記給水制御手段が、前記副給水路による給水時に、前記回転ドラムを回転駆動することを特徴とする。
【００２１】
この発明においては、副給水路による給水時に回転ドラムを回転駆動し、例えば、タンブリング動作させるから、回転ドラム内の洗濯物を適宜に移動させ、給水により一層確実に濡らし、良好に温めて、洗濯時間の短縮を実現することができる。
【発明の効果】
【００２２】
本発明に係る洗濯乾燥機においては、洗濯水の給水開始時に、該洗濯水が、乾燥風路を経て温風と共に回転ドラム内に送り込まれるから、回転ドラム内の洗濯物を、給水開始直後から効果的に濡らし、更に温めることができ、洗濯時間の短縮を図ることが可能となる等、本発明は優れた効果を奏する。
【図面の簡単な説明】
【００２３】
【図１】実施の形態に係る洗濯乾燥機の外観を略示する斜視図である。
【図２】実施の形態に係る洗濯乾燥機の内部構成を略示する縦断面図である。
【図３】導出ダクト及び導入ダクトの形成態様を示す図である。
【図４】ドラムモータの支持部近傍の拡大断面図である。
【図５】洗濯乾燥機の制御系の構成を示すブロック図である。
【図６】給水制御動作の手順の一例を示すフローチャートである。
【図７】実施の形態に係る給水制御動作の手順を示すフローチャートである。
【図８】給水制御動作の他の手順を示すフローチャートである。
【発明を実施するための形態】
【００２４】
以下本発明をその実施の形態を示す図面に基づいて詳述する。図１は、実施の形態に係る洗濯乾燥機の外観を略示する斜視図、図２は、実施の形態に係る洗濯乾燥機の内部構成を略示する縦断面図である。
【００２５】
図２に示すように、洗濯乾燥機は、外筐１の内部に洗濯槽２及び回転ドラム３を備えている。洗濯槽２は、一側の端部全面に開口２０を有する大径の有底円筒体であり、外筐１の底面に立設された複数本の支持脚２１（１本のみ図示）により、開口２０の側を上向きとし、水平面に対して軸心を傾けた傾斜姿勢を保って弾性支持されている。
【００２６】
外筐１の前面（図２の左側面）には、洗濯槽２の開口２０を臨む位置に、蓋体１０による開閉自在に洗濯物の投入口１１が開設してあり、該投入口１１と洗濯槽２の開口２０との間は、ベローズ１２により液密に封止されている。図１に示すように、外筐１の前面には、蓋体１０の近傍にドア開ボタン１３が設けてある。蓋体１０は、ドア開ボタン１３の操作により開放される。
【００２７】
回転ドラム３は、洗濯槽２よりもやや小径の有底円筒体であり、一側の開口３０を洗濯槽２の開口２０の内側に臨ませ、洗濯槽２の底部中央に固設されたドラムモータ４の出力軸４０の端部に連結し、該ドラムモータ４の駆動により、洗濯槽２の内部で同軸上にて回転するようになしてある。回転ドラム３の周壁には、多数の小孔３２が全面に亘って貫通形成されており、また周壁内面には、軸長方向に延びるバッフル３３が、周方向に等配をなして複数突設されている。なお図２中には、図面の煩雑化を避けるべく、小孔３２の一部と一つのバッフル３３のみを図示してある。
【００２８】
以上の如く構成された洗濯乾燥機の洗濯運転は、蓋体１０を開放し、投入口１１の内側に位置する開口２０，３０を経て回転ドラム３内に洗濯物を投入し、前記蓋体１０を閉止した後、後述するように洗濯槽２の内部に洗濯水を給水した後、ドラムモータ４を駆動して回転ドラム３をタンブリングさせて実施される。前述したように回転ドラム３は、多数の小孔３２と複数のバッフル３３とを備えており、回転ドラム３の内部の洗濯物は、小孔３２を経て回転ドラム３内に浸入する洗濯水中に浸され、バッフル３３の作用による持ち上げ及び落下を繰り返し、落下時に回転ドラム３の内面に叩きつけられて洗濯される。
【００２９】
図１に示すように、外筐１の前面上部には、各種の操作のための操作部及び各種の表示のための表示部を備える操作パネル１５が設けてある。該操作パネル１５は、外筐１の上部内側に設けた運転制御部８（図２、図５参照）に接続してある。前述した洗濯運転、及び後述する乾燥運転、更には、これらの間に実施される脱水運転は、操作パネル１５の操作に応じた運転制御部８の動作により、一連の処理、又は個々に独立した処理として実行される。
【００３０】
図１に示すように外筐１の後部上面には、水道等の給水源との接続が可能な接続口５０が設けてある。この接続口５０は、図２に示すように、外筐１の内側に設けた給水弁５１に接続してある。給水弁５１は、複数の給水出口を有する多連形の電磁弁であり、第１給水出口は、主給水管５２を介して洗濯槽２の上部周面に接続されている。給水弁５１が第１給水出口に切換えられた場合、給水源からの給水は、主給水管５２を経て洗濯槽２の内部に送り込まれる。主給水管５２の中途には、公知のように洗剤ケースを配置し、給水と共に適量の洗剤が導入されるように構成することができる。
【００３１】
給水弁５１の第２給水出口は、小径の副給水管５３を介して後述する給水ノズル５４に接続してある。給水ノズル５４は、後述する導入ダクト６１の内部に開口している。給水弁５１が第２給水出口に切換えられた場合、給水源からの給水は、副給水管５３を経て給水ノズル５４に達し、導入ダクト６１の内部に送り込まれる。
【００３２】
給水弁５１の第３給水出口は、冷却水管５５を介して、洗濯槽２の前下部に連結してある。洗濯槽２には、下部周面に前後方向に延びる凹溝２２が形成されており、該凹溝２２の上部を覆うように冷却板２３が架設してある。冷却板２３は、後部を下として傾斜しており、上表面に並設された複数の凹部を備えている。給水弁５１が第３給水出口に切換えられた場合、給水源からの給水は、冷却水管５５を通って冷却板２３の前上部に送り込まれ、複数の凹部内に順次滞留しながら冷却板２３の上表面に沿って後方に流れて、後述のように循環する乾燥風を冷却する冷却水として使用される。
【００３３】
凹溝２２の後端部には、排水管２４が接続されている。該排水管２４は、外筐１内側の前下部に固定支持された筒形のフィルタケース２５に接続されている。フィルタケース２５の内部には、繊維屑等の異物を捕捉するリントフィルタが収容されている。
【００３４】
フィルタケース２５の後部は、外筐１の底面に沿って敷設された排水ホース２７に排水弁２６を介して接続されている。フィルタケース２５の前側上部には、エアトラップ２８が設けてある。エアトラップ２８は、フィルタケース２５内部に連通する空気室である。エアトラップ２８には、上方に延びる導圧管２８ａが接続されており、該導圧管２８ａの上端部には水位センサ２９が取付けてある。
【００３５】
排水弁２６が閉である場合、洗濯槽２の内部に後述の如く給水される洗濯水は、排水管２４を経てフィルタケース２５内に入り、該フィルタケース２５を満たした後、排水管２４及び洗濯槽２の内部に溜まる。エアトラップ２８の内部には、フィルタケース２５に洗濯水が充満した後にも空気が取り残される。エアトラップ２８内の空気圧は、フィルタケース２５を底として溜まる洗濯水の水位の上昇に応じて大となる。水位センサ２９は、導圧管２８ａを介して伝播するエアトラップ２８内の空気圧を検出する圧力センサである。水位センサ２９の検出信号は、運転制御部８に与えられている。
【００３６】
排水弁２６は、洗濯運転の後に開放される。この開放により洗濯槽２内の洗濯水は、排水管２４及びフィルタケース２５を経て排水ホース２７に排水される。排水に含まれる繊維屑等の異物は、フィルタケース２５内のリントフィルタに捕捉、除去され、排水ホース２７を経て排出される虞れがない。排水弁２６は、洗濯運転の後に開放される。この開放により洗濯槽２内の洗濯水は、排水管２４及びフィルタケース２５を経て排水ホース２７に排水される。この排水に際し、洗濯水中に含まれる繊維屑等の異物は、フィルタケース２５内のリントフィルタに捕捉、除去され、排水ホース２７を経て下水管に排出される虞れがない。
【００３７】
洗濯乾燥機は、乾燥風を循環させる乾燥風路を更に備えている。乾燥風路は、洗濯槽２と一体形成された導出ダクト６０及び導入ダクト６１を有している。図３は、導出ダクト６０及び導入ダクト６１の形成態様を示す図である。本図は、洗濯槽２の底面を前方から見た状態を略示しており、図の上下は、図２の上下に対応している。なお、洗濯槽２の外面には、強度確保のための多数のリブが設けてあるが、図３においては、これらのリブの図示を省略してある。
【００３８】
図３に示すように、導出ダクト６０は、洗濯槽２の底面最下部を含めて周方向に適宜の長さを有して延び、一側端部で斜め上方に立ち上がるように設けられている。図３には、洗濯槽２の下部周面に前述の如く形成された凹溝２２、及び該凹溝２２の上部に架設した冷却板２３も図示してある。導出ダクト６０の下部は、冷却板２３の後位置で洗濯槽２内に開口する導出口６２に連通している。導出ダクト６０の上端部は、洗濯槽２の上部周面に上向きに突設された導出管６３に連通している。
【００３９】
導入ダクト６１は、洗濯槽２の底面の中心部に設けた円形部と、該円形部の一端に連続し、斜め上方に立ち上がる直線部とを備える。直線部の上端は、洗濯槽２の上部周面に上向きに突設された導入管６４に連通している。また円形部の中心位置には、ドラムモータ４の出力軸４０が突出しており、この突出部と同軸をなし、洗濯槽２の内部に向けて開口する円形断面の導入口６５が開設されている。
【００４０】
図４は、ドラムモータの支持部近傍の拡大断面図である。図中に一部を示すように、ドラムモータ４の出力軸４０は、軸受４１により回転自在に支持され、洗濯槽２の内側に向けて突出しており、この突出端部は、連結ブラケット４２を介して回転ドラム３の底面の中心位置に固定されている。連結ブラケット４２と回転ドラム３との間には、薄肉の封止板６６が挾持固定されている。封止板６６の外周には、導入ダクト６１の末端の導入口６５の内側に対向する鍔部が周設され、該鍔部には、導入口６５に内嵌固定されたオイルシール６７が摺接している。
【００４１】
回転ドラム３の底面には、連結ブラケット４２の固定部よりも外側の周上に並ぶ複数の導入孔３４が開設してあり、これらの導入孔３４は、封止板６６の対応位置に設けられた連通孔６８を介して導入口６５に連通している。
【００４２】
図２に示すように、洗濯槽２の上部には、乾燥風を起風する送風ファン７０が配してある。該送風ファン７０は、吸込側のフィルタ７１と吐出側のヒータ７２と共にユニット化され、外筐１の内部に固定支持されている。洗濯槽２の上部に突出する導出管６３の端部は、送風ファン７０の吸込側に連結され、同じく導入管６４の端部は、送風ファン７０の吐出側に連結されている。
【００４３】
以上の如く構成された乾燥風路において、送風ファン７０が駆動された場合、吸込側に連結された導出ダクト６０から乾燥風が吸い込まれて加圧され、吐出側に連結された導入ダクト６１に送り出される。導入ダクト６１内に送り出される乾燥風は、洗濯槽２の外周から中央に向けて流れて導入口６５に達し、連通孔６８及び導入孔３４を通って回転ドラム３内に導入される。回転ドラム３内に導入された乾燥風は、周壁に形成された多数の小孔３２を通って洗濯槽２内に流出し、前述の如く形成された導出口６２を経て導出ダクト６０内に導出され、送風ファン７０に再度吸い込まれる。
【００４４】
洗濯乾燥機の乾燥運転は、送風ファン７０を駆動し、ヒータ７２を動作させると共に、ドラムモータ４を駆動し、回転ドラム３を低速度で反復回転させ、更に、給水弁５１を第３給水出口に切換え、冷却板２３上に冷却水を流すことによりなされる。
【００４５】
乾燥風路の内部には、送風ファン７０の駆動により、前述した乾燥風の循環が生じる。この乾燥風は、ヒータ７２を通過する際に加熱されて回転ドラム３内に導入される。回転ドラム３の内部の洗濯物は、該回転ドラム３の回転による持ち上げ及び落下を繰り返している。回転ドラム３内に導入される乾燥風は、回転ドラム３内の洗濯物に当たり、該洗濯物の水分を奪って洗濯槽２内に流出し、該洗濯槽２の底面下部に開口する導出口６２に向けて流れる。
【００４６】
このように流れる乾燥風は、冷却板２３上を流れる冷却水と接触して冷却され、含有水分を凝縮除去された乾き空気となって導出口６２に達し、導出ダクト６０内に送り出される。なお、凝縮除去された水分は、冷却板２３上を冷却水と共に流れ、該冷却板２３の後端部に達して凹溝２２内に流れ落ち、排水管２４及びフィルタケース２５を通って排水ホース２７内に排水される。
【００４７】
一方、乾き空気となった乾燥風は、導出ダクト６０内を上昇し、導出管６３を経て送風ファン７０に吸い込まれて加圧され、ヒータ７２により再加熱されて高温、低湿の温風となって回転ドラム３の内部に導入される。回転ドラム３内の洗濯物は、以上のように冷却及び加熱を伴って循環する乾燥風と接触を繰り返すことで乾燥せしめられる。
【００４８】
図２及び図３に示すように、導入ダクト６１の中途には給水ノズル５４が設けてある。該給水ノズル５４には、副給水管５３が接続してあり、給水源からの給水が、副給水管５３を経て給水ノズル５４に達し、該給水ノズル５４から導入ダクト６１の内部に送り込まれるように構成してある。
【００４９】
副給水管５３による給水は、前述したように、給水弁５１を第２給水出口に切換えることによりなされる。この給水は、洗濯水の給水開始時に、乾燥風路内の送風ファン７０及びヒータ７２を動作させ、送風ファン７０による起風をヒータ７２により加熱してなる温風を導入ダクト６１内に流している状態で実施する。この温風は、給水ノズル５４から送り込まれる洗濯水の搬送風として作用し、前記洗濯水は、搬送風と共に導入ダクト６１内を流れ、末端に設けた導入口６５に達して、連通孔６８及び導入孔３４を経て回転ドラム３の内部に送り込まれる。
【００５０】
また副給水管５３による給水は、導入ダクト６１内の洗浄を目的とし、送風ファン７０及びヒータ７２を動作させずに実施する。この給水は、導入ダクト６１内の異物（繊維屑等）を捉えて下向きに流れ、導入ダクト６１の下端に接続されたドレン管（図示を省略する）を経て排水ホース２７内に排水される。
【００５１】
図５は、洗濯乾燥機の制御系の構成を示すブロック図である。洗濯乾燥機の運転制御部８は、ＣＰＵ８ａ、ＲＯＭ８ｂ、ＲＡＭ８ｃ及び入出力インターフェイス８ｄを共有バスで接続してなるコンピュータである。
【００５２】
入出力インターフェイス８ｄには、前述した操作パネル１５が接続してある。操作パネル１５には、電源スイッチ、運転開始を指令するスタートスイッチ、運転内容を選択するためのスイッチ等、使用者により操作される各種のスイッチが設けられている。また操作パネル１５は、操作補助のための表示、運転状態の表示等の各種の表示を行わせるための表示部を備えている。操作パネル１５の操作内容は、入出力インターフェイス８ｄを介してＣＰＵ８ａに与えられており、ＣＰＵ８ａは、操作パネル１５の表示部に入出力インターフェイス８ｄを介して動作指令を与え、該表示部に所定の表示を行わせる。
【００５３】
また入出力インターフェイス８ｄには、前述した水位センサ２９が接続してある。水位センサ２９の検出信号は、入出力インターフェイス８ｄを介してＣＰＵ８ａに与えられ、ＣＰＵ８ａは、水位センサ２９の検出信号に基づいて洗濯槽２の内部の貯留水の水位を認識する。
【００５４】
更に入出力インターフェイス８ｄは、ドラムモータ４、給水弁５１、排水弁２６、送風ファン７０及びヒータ７２、より詳しくは、これらの駆動回路に接続してある。ＣＰＵ８ａは、操作パネル１５の操作内容に従ってＲＯＭ８ｂに格納された制御プログラムを実行し、ドラムモータ４、給水弁５１、排水弁２６、送風ファン７０及びヒータ７２に動作指令を与え、前述した洗濯運転及び乾燥運転、更には脱水運転を実行する。
【００５５】
洗濯運転、脱水運転及び乾燥運転を実行するための運転制御部８の動作は、公知の動作であることから詳細な説明は省略する。一方、運転制御部８は、洗濯運転の開始に際し、以下に示す給水制御動作を行う。
【００５６】
図６は、給水制御動作の手順の一例を示すフローチャートである。運転制御部８のＣＰＵ８ａは、給水の開始タイミングであるか否かを判定する（ステップＳ１）。給水開始タイミングとは、洗濯槽２の内部への洗濯水の給水を開始するタイミングであり、洗濯運転中に通常複数回存在する。ＣＰＵ８ａは、ステップＳ１の判定を所定の周期で実施し、給水の開始タイミングではないと判定された場合（Ｓ１：ＮＯ）、以下の給水制御動作を実施せず、次の判定機会まで待機する。
【００５７】
給水の開始タイミングであると判定された場合（Ｓ１：ＹＥＳ）、ＣＰＵ８ａは、給水弁５１に切換え指令を与え、該給水弁５１を第２給水出口に切換え（ステップＳ２）、同時に、送風ファン７０及びヒータ７２に動作指令を与えて、これらを駆動し、更にドラムモータ４に動作指令を与え、該ドラムモータ４を駆動して、回転ドラム３のタンブリング動作を開始させる（ステップＳ３）。
【００５８】
この動作により洗濯水は、給水弁５１を経て副給水管５３に導入され、給水ノズル５４を経て導入ダクト６１内に送り込まれる。同時に導入ダクト６１の内部には、送風ファン７０の動作により起風され、ヒータ７２により加熱された温風の流れが生じており、導入ダクト６１内に送り込まれる洗濯水は、該導入ダクト６１内を流れる搬送風によって搬送され、該搬送風と共に末端の導入口６５に達し、連通孔６８及び導入孔３４を経て回転ドラム３の内部に送り込まれる。副給水管５３の直径は、導入ダクト６１に送り込まれる給水が温風中に良好に分散し、該温風と共に回転ドラム３内に確実に送り込まれる量となるように設定してある。
【００５９】
ＣＰＵ８ａは、予め設定された第１時間の経過を待ち（ステップＳ４）、第１時間が経過した後（ステップＳ４：ＹＥＳ）に給水弁５１に閉指令を与え、該給水弁５１を閉とする（ステップＳ５）。更にＣＰＵ８ａは、第２時間の経過を待ち（ステップＳ６）、第２時間が経過した後（ステップＳ６：ＹＥＳ）に、送風ファン７０、ヒータ７２及びドラムモータ４に停止指令を与え、これらを停止させる（ステップＳ７）。
【００６０】
以上の動作により、導入口６５から送り込まれる洗濯水は、回転ドラム３内の洗濯物に直接的に降り注ぎ、該洗濯物を濡らす。導入口６５は、洗濯槽２及び回転ドラム３の底面中央部に開設されているから、副給水管５３による給水は、回転ドラム３の内部全体に拡がるように送り込まれる。また、回転ドラム３内の洗濯物は、該回転ドラム３のタンブリングにより、持ち上げ、落下を繰り返しているから、副給水管５３が給水する洗濯水は、回転ドラム３内の洗濯物を、速やかに、しかも確実に濡らすことができる。
【００６１】
また導入口６５からは、洗濯水と共に温風が送り込まれており、回転ドラム３内の洗濯物は、温風と接触して加熱される。温風の送り込みは、副給水管５３による洗濯水の給水を停止した後も継続するから、回転ドラム３内の洗濯物は、以上の動作が継続されている間に、高温下において洗濯水が均一に浸透した状態となる。
【００６２】
送風ファン７０、ヒータ７２及びドラムモータ４を停止した後、ＣＰＵ８ａは、給水弁５１に切換え指令を与え、該給水弁５１を第１給水出口に切換える（ステップＳ８）。この動作により、給水源からの給水は、給水弁５１を経て主給水管５２に導入され、該主給水管５２を経て洗濯槽２の内部に送り込まれる。主給水管５２は、副給水管５３よりも大径であり、第１給水出口への切換え後の給水は、洗濯槽２の内部に速やかに溜まる。
【００６３】
次いで運転制御部８のＣＰＵ８ａは、給水の完了を判定する（ステップＳ９）。この判定は、水位センサ２９の検出信号に基づいて行う。水位センサ２９の検出信号は、フィルタケース２５を底として洗濯槽２の内部に溜まる洗濯水の水位に対応している。ＣＰＵ８ａは、水位センサ２９の検出信号から洗濯槽２内部の貯留水の水位を求め、この水位が所定値に達することにより、給水が完了したと判定し（Ｓ９：ＹＥＳ）、給水弁５１に閉指令を与え、該給水弁５１を閉として（ステップＳ１０）、給水制御動作を終える。
【００６４】
主給水管５２への切換え後の洗濯水は、回転ドラム３内ではなく、洗濯槽２内に送り込まれるが、回転ドラム３内の洗濯物は、主給水管５２への切換え前に、高温下にて十分に濡れた状態にあるから、給水完了後に実施される洗濯運転の開始直後から高い洗浄効果又は濯ぎ効果が得られ、洗濯運転の所要時間を短縮することができる。なお、ステップＳ８の実行前に待ち時間を設定し、回転ドラム３内の洗濯物を、洗濯水が浸透し、且つ高温の状態に保つことにより、洗濯効果を一層高めることが可能となる。
【００６５】
図７は、実施の形態に係る給水制御動作の手順を示すフローチャートである。運転制御部８のＣＰＵ８ａは、給水の開始タイミングであるか否かを判定し（ステップＳ１１）、開始タイミングであると判定された場合（Ｓ１１：ＹＥＳ）、まず、送風ファン７０及びヒータ７２を駆動する（ステップＳ１２）。
【００６６】
次いでＣＰＵ８ａは、送風ファン７０の回転速度が定常回転速度に達したか否かを判定し（ステップＳ１３）、定常回転に達したと判定された場合（Ｓ１３：ＹＥＳ），給水弁５１に切換え指令を与え、該給水弁５１を第２給水出口に切換えると共に、ドラムモータ４に動作指令を与え、該ドラムモータ４を駆動して、回転ドラム３のタンブリング動作を開始させる（ステップＳ１４）。
【００６７】
以上の動作により、導入ダクト６１の内部には、まず、送風ファン７０が起風し、ヒータ７２により加熱された温風が発生する。洗濯水は、送風ファン７０が定常回転に達し、所定量の温風が流れる状態となった後に、副給水管５３及び給水ノズル５４を経て導入ダクト６１内に導入され、該導入ダクト６１内を流れる温風により確実に搬送されて回転ドラム３の内部に送り込まれる。これにより、例えば、インバータ駆動のモータを備える送風ファン７０等、定常回転に達するまでに時間を要する送風ファン７０を使用している場合であっても、導入ダクト６１内に送り込まれる洗濯水を無駄なく利用し、回転ドラム３内の洗濯物を良好に濡らすことが可能となる。
【００６８】
ステップＳ１３の判定は、送風ファン７０の駆動用モータに付設した回転速度検出器の検出結果に基づいて実施する。またステップＳ１３に代えて、所定の待機時間の経過を待って給水弁５１の切換え及びドラムモータ４の駆動を行わせてもよい。前記待機時間は、送風ファン７０が定常回転に達するために必要な時間として予め設定してある。
【００６９】
ＣＰＵ８ａは、次に、ステップＳ１５〜Ｓ２１の動作を行う。これらの動作は、図６のフローチャートにおけるステップＳ４〜Ｓ１０と同じであり、説明を省略する。以上の動作によっても、回転ドラム３内の洗濯物は、副給水管５２から給水される洗濯水により、給水開始後、高温下にて十分に濡れた状態となるから、洗濯運転の開始直後から高い洗浄効果又は濯ぎ効果が得られ、洗濯運転の所要時間を短縮することができる。
【００７０】
図８は、給水制御動作の他の手順を示すフローチャートである。運転制御部８のＣＰＵ８ａは、給水の開始タイミングであるか否かを判定し（ステップＳ３１）、開始タイミングであると判定された場合（Ｓ３１：ＹＥＳ）、まず、給水弁５１に切換え指令を与え、該給水弁５１を第２給水出口に切換える（ステップＳ３２）。この切換えにより洗濯水は、副給水管５３及び給水ノズル５４を経て導入ダクト６１内に送り込まれる。
【００７１】
次いでＣＰＵ８ａは、導入ダクト６１内で給水の有無を検知し（ステップＳ３３）、給水が検知されている場合（Ｓ３３：ＹＥＳ）、送風ファン７０及びヒータ７２を駆動し、更に、ドラムモータ４を駆動し、回転ドラム３のタンブリング動作を開始させる（ステップＳ３４）。ＣＰＵ８ａは、次に、ステップＳ３５〜Ｓ４１の動作を行う。これらの動作は、図６のフローチャートにおけるステップＳ４〜Ｓ１０の動作と同じであり、説明を省略する。以上の動作によっても、回転ドラム３内の洗濯物は、副給水管５２から給水される洗濯水により、高温下にて十分に濡れた状態となるから、洗濯運転の開始直後から高い洗浄効果又は濯ぎ効果が得られ、洗濯運転の所要時間を短縮することができる。
【００７２】
ステップＳ３３における給水の検知は、導入ダクト６１内に検知手段を設けることによりなされる。これにより、例えば、給水弁５１の動作不良、副給水管５３の詰まりに起因する給水不能時に、送風ファン７０及びヒータ７２が無為に駆動されること、及び無為なタンブリングがなされることを防止できる。ステップＳ３３において、給水が検知されなかった場合（Ｓ３３：ＮＯ）、ＣＰＵ８ａは、ステップＳ３９に処理を移行し、給水弁５１を第１給水出口に切換える。これにより、給水源からの給水は、主給水管５２を経て洗濯槽２の内部に送り込まれ、洗濯運転が可能な状態となる。この場合、ＣＰＵ８ａは、例えば、操作パネル１５の表示部に所定の表示を行わせ、副給水管５３による給水が不能となっていることを使用者に報知するのが望ましい。
【００７３】
なお以上の実施の形態においては、主給水管５２と副給水管５３とを、給水弁５１の動作により切り換えるようにしてあるが、主給水管５２と副給水管５３とを独立した給水系とし、夫々による給水を、各別の弁の開閉により行わせるようにしてもよい。
【００７４】
また以上の実施の形態においては、洗濯槽２及び回転ドラム３が、斜め横姿勢に支持された洗濯乾燥機、所謂、斜めドラム式の洗濯乾燥機について説明したが、本発明は、洗濯槽２及び回転ドラム３が横姿勢又は縦姿勢に支持された洗濯乾燥機にも適用可能であり、同様の効果が得られることは言うまでもない。
【符号の説明】
【００７５】
２    洗濯槽
３    回転ドラム
８    運転制御部
５３  副給水管（副給水路）
６１  導入ダクト（乾燥風路）
６５  導入口
７０  送風ファン
７２  ヒータ
【図１】
0005762063.tif 000002
【図２】
0005762063.tif 000003
【図３】
0005762063.tif 000004
【図４】
0005762063.tif 000005
【図５】
0005762063.tif 000006
【図６】
0005762063.tif 000007
【図７】
0005762063.tif 000008
【図８】
0005762063.tif 000009